Podtech/llm-jp-corpus-v4-ja_patent huggingface dataset:
(57)【要約】［課題］乾燥の原理に合ったエネルギー効率の良い洗濯物やタオルの乾燥器を開発したい。［解決手段］磁電管（マグネトロン）の極超短波（２４５０メガヘルツ）を、乾燥庫内の衣類などの乾燥する物に、下からが理想であるが、当てて誘電加熱し、庫内にファンで風を通して、発生する蒸気を庫外に排除するようにした、電子乾燥器（エレクトロニックドライヤー）と呼ぶことにする、誘電加熱乾燥器。【選択図】図１
2004065875.tif 000002
【特許請求の範囲】
【請求項１】
磁電管（マグネトロン）の極超短波（２４５０メガヘルツ）を、乾燥庫内の衣類などの乾燥する物に、下からが理想であるが、当てて誘電加熱し、庫内にファンで風を通して、発生する蒸気を庫外に排除するようにした、電子乾燥器（工レクトロニックドライヤー）と呼ぶことにする、誘電加熱乾燥器。
【発明の詳細な説明】
【０００１】
［発明の属する技術分野］
洗濯物用やタオル用などの誘電加熱式の乾燥器である。
【０００２】
［従来の技術］
従来の洗濯物乾燥器には電気式とガス式があるが、それらは乾燥庫内の空気を温めて洗濯物などを加熱乾燥するもので、庫内で発生する蒸気を急速に排出しようとすると、庫内の温度が下がり、加熱効果が薄れるので、風通しを能くすることは余り出来なかった。
【０００３】
［発明が解決しようとする課題］
この問題を、加熱して蒸発を促すと同時に、発生する蒸気を片っ端からファンで強制排除するようにして、解決したい。
【０００４】
［課題を解決するための手段］
そのためには放射熱のように空気を良く透過する熱で洗濯物を熱し、発生する蒸気を片っ端から強制排除するようにしたいが、放射熱は繊維に吸収されて陰を作るので、目的を十分に達成するには機構を非常に複雑にしなくてはならない。
そこで乾いた繊維は平気で通す高周波を用いることにした。洗濯物を重ねて置いて下から高周波を当てると、下から順に乾いて行くことになる。そしてこの高周波による加熱は、温度を加える方式ではなく、水分の分子が振動摩擦熱を起こす方式なので、乾燥庫に熱を保つ必要がなく、庫内にファンで風を通して発生する蒸気を片っ端から排除できる。
このように考えて発明したのが本発明であり、「特許請求の範囲」に簡潔に述記してある。
【０００５】
［発明の実施の形態］
市販されているマグネトロンは６００ワットのものが殆どであるので、これを２管使って洗濯物乾燥器を製作したい。
そしてマグネトロン１管でタオル乾燥器を製作したい。高周波乾燥は殺菌作用があるので、多くの人が代わる代わる使っても清潔を保つことが出来る。工場の洗手場やオフイスや工場のトイレや家庭のトイレなどで使用してもらえよう。またレストランなどの調理場などでも使用してもらいたい。そして学校給食の場においても使用してもらえるのではないかと思っている。
これらの本発明には電気式（抵抗）湿度計や赤外線湿度計などを用いて自動的に乾燥状態を停止する工夫をしたい。
【０００６】
［発明の効果］
本発明によって従来の乾燥器では出来なかった、洗濯物を風通しの良いところに干すと言う自然原理が乾燥器でも行なえるようになった。またタオル乾燥器にはこれまでこれはと言うものが開発出来なかったのであるが、本発明によってその不便が解消されることになろう。
電子レンジは殆どの家庭に普及し、マグネトロンの需要が先細り気味である。この業界と高圧トランス業界に有力な需要先を世界的規模で提供できることになった。これら業界の期待に是非とも応えたい。
【図面の簡単な説明】
【図１】本発明の簡単な外観斜視図である。
【図１】
2004065875.tif 000003
(57)【要約】【課題】カビ菌、大腸菌および黄色ブドウ球菌等の雑菌を死滅、または発育抑制することができる殺菌装置を提供する。【解決手段】交流やパルス波形の高電圧電源を用いた沿面放電方式、および針状電極に直流、交流またはパルス波形の高電圧を印加するコロナ放電方式、または直接放電方式を用いたマイナスイオン発生器を、殺菌装置内に配設することにより、安全で殺菌能力のある殺菌装置を提供することができる。【特許請求の範囲】
【請求項１】
マイナスイオンによりカビ菌、大腸菌および黄色ブドウ球菌等の雑菌を死滅、または発育抑制させることを特徴とするマイナスイオン発生器が付いた殺菌装置。
【請求項２】
前記殺菌装置のマイナスイオン発生器において、そのマイナスイオン発生方法としては、交流やパルス波形の高電圧電源を用いた沿面放電方式、および針状電極に直流、交流またはパルス波形の高電圧を印加するコロナ放電方式、または直接放電方式を用いることを特徴とする請求項１記載の殺菌装置。
【請求項３】
前記マイナスイオン発生器において、マイナスイオン量がマイナスイオン発生器近傍で１０万個／ＣＣ以上、好ましくは１００万個／ＣＣ以上であることを特徴とする請求項１または請求項２記載の殺菌装置。
【発明の詳細な説明】
【０００１】
【発明の属する技術分野】
本発明は、高濃度のマイナスイオンを利用した殺菌装置に関する。
【０００２】
【従来の技術】
従来の化学薬品を使用しない殺菌装置としては、加熱処理やオゾンおよび紫外線を利用した殺菌装置がある。
【０００３】
加熱方式の殺菌装置は雑菌を死滅させるためには、雑菌の死滅温度以上にする必要があり、更に蒸気を使用することもある。
【０００４】
この場合、特に食品の殺菌をする場合には食品自体の変質の恐れがある。
【０００５】
次に、オゾンおよび紫外線を使用する場合には、オゾンおよび紫外線の人体に対する悪影響を考慮し、人への影響のない状態での殺菌が必要となる。
【０００６】
【発明が解決しようとする課題】
本発明は、上記従来技術の問題点を解決し、雑菌を選択的に死滅又は発育抑制せしめ、しかも被殺菌物に変質をもたらさない殺菌装置を提供することを目的とする。
【０００７】
【課題を解決するための手段】
本発明の殺菌装置は、放電により発生させた高濃度のマイナスイオンにより、加熱処理による食品の変質や、オゾンおよび紫外線のように人体に悪影響を及ぼすことなくカビ菌、大腸菌および黄色ブドウ球菌等の雑菌を死滅又は発育抑制することを特徴とする。
【０００８】
マイナスイオンは、従来より精神安定・疲労感の軽減・体機能の向上・免疫力向上など人体に良いとされていた。本発明では、このマイナスイオンを高濃度で発生させ雑菌に照射することを特徴とする。
【０００９】
【発明の実施の形態】
マイナスイオン発生素子と高圧電源及び付帯設備を有するものである。
【００１０】
付帯設備には、イオン拡散装置、イオンモニターなどを有するものである。
【００１１】
【実施例】
実施例として、沿面放電方式のイオン発生素子を使用し、パルス波形の高電圧電源を用いたマイナスイオン発生器を用いた。このマイナスイオン発生器のマイナスイオンの発生量は発生素子から５０ｍｍのところで、イオンカウンターで測定して２００万個／ＣＣ以上であった。
【００１２】
マイナスイオン発生器のイオン発生素子は沿面放電方式の他に、針状電極のコロナ放電方式や直接放電方式でもよく、また高電圧電源としては、パルス波形の他に、交流および直流高電圧のようなものでもよい。
【００１３】
前記マイナスイオン発生器を用いてトマト灰色カビ病菌（Ｂｏｔｒｙｔｉｓ　ｃｉｎｅｒｅａ）および大腸菌（Ｅｓｃｈｅｒｉｃｈｉａ　ｃｏｌｉ）に対する影響を実験した。
【００１４】
前記マイナスイオン発器のイオン発生素子部、およびトマト灰色カビ病菌を接種したシャーレを１Ｌのビーカに入れ、２０℃で培養した。
【００１５】
表１に示すように、マイナスイオンを照射しないブランクテストでは、カビのコロニーの発生が３日目から観察され、７日後にはシャーレ全面に広がった。
マイナスイオンを照射している場合は７日後でもカビのコロニーの発生は認められなかった。
培養中は、マイナスイオンを７日間連続で照射し続けた。
【００１６】
比較のために行なった極性のみを逆の同一電源および素子を使用したプラスイオン発生器では、ブランクテストと同様に３日目からカビのコロニーの発生が観察され、７日後にはシャーレ全面に広がった。
【表１】
2004065879.tif 000002
【００１７】
次に前記マイナスイオン発器のイオン発生素子部、および大腸菌（Ｅｓｃｈｅｒｉｃｈｉａ　ｃｏｌｉ）を接種したシャーレを１Ｌのビーカに入れ、大腸菌のコロニー発生状況を観察した。ただし、培養は温度３０℃で３日間行なった。
【００１８】
表２に示すように、マイナスイオンを照射している場合は、３日後でも大腸菌のコロニーは認められないが、プラスイオンを照射している場合は、２日後には３〜８０ヶの大腸菌のコロニーが認められた。
マイナスイオンを照射しないブランクテストでは、１日後には１７３〜２９１ヶの大腸菌のコロニーが認められた。
【表２】
2004065879.tif 000003
【００１９】
【発明の効果】
以上の説明から明らかなように、本発明によれば殺菌装置内にマイナスイオン発生器を配設することによりカビ菌、大腸菌および黄色ブドウ球菌等の雑菌を死滅又は発育抑制することができる殺菌装置を提供し得る。
(57)【要約】【課題】現在のぬいぐるみは、いやし・飾りがほとんどで日用の生活の中の道具としてあまり利用していないのではと淋しく思っていた。【解決手段】ぬいぐるみは、子どもから大人まで広く愛されている。飾りやいやし系だけではなく、ぬいぐるみの一部に両面テープを設置したとで、個性に合わせて色々貼って楽しんだり、ぬいぐるみに触れる時のホットする感触を、家臭の取っ手や受話器など、道具の中にもとりいれられるようになった。【選択図】図１
2004065876.tif 000002
【特許請求の範囲】
【請求項１】
ぬいぐるみの本体の一部に両面テープを設置するものなり。
【請求項２】
家具のぬいぐるみ付き取っ手。
【発明の詳細な説明】
【０００１】
【発明に属する技術分野】
現在のぬいぐるみは置くかぶら下げるしかない。道具としてもっと沢山の利用方法がないものかと考えた。
【０００２】
【従来の技術】
現在のぬいぐるみは、いやし・飾りがほとんどで、日常の生活の中の道具としてあまり利用していないのでは？　と淋しく思っていた。
【０００３】
【発明が解決しようとする課題】
ぬいぐるみを、いやし系と飾りだけでなく、日常の道具として身近に触れることにより、ぬいぐるみの持つやさしい肌ざわりにより、核家族のさつばつとした生活にやさしさを感じるのではと考へ、家具の取って・受話器など、どこにでも自由に貼れるようぬいぐるみの、本体の一部に両面テープを設置したものなり。
【０００４】
【課題を解決しようとする手段】
核家族・単身赴任など淋しい家庭をより暖かくするため、家具の取ってやその他に、ぬいぐるみを道具として利用できるよう、ぬいぐるみの一部に両面テープを設置した。個性に合わせてくふうして飾ることができ楽しい部屋になる。受話器にぬいぐるみを貼り付ければ手を離して話ができるものなり図４。
【０００５】
ぬいぐるみの本体の一部に両面テープを設置することにより、どこにでも貼れる形のぬいぐるみにした。
【０００６】
【発明の実地の形態】
例えば図４のように受話機に貼れば飾りにもなり、話をしている時は肩と耳だけでぬいぐるみにより、すべらない道具にもなり手が離せて仕事が出来る。ぶらぶらさせたくないところにも貼れる。
【０００７】
【実地例】
スチームブレットのような掃除機もあり、取りはずさなくてもそのままぬいぐるみをきれいに出来る時代となり、道具として色々利用できる。
【０００８】
【発明の効果】
ぬいぐるみは、子どもから大人まで広く愛されている。飾りやいやし系としてだけでなく、両面テープを設置したことで、個性に合わせてどこにでも貼ることが出来るようになった。取っ手や受話器などに貼れば、ぬいぐるみのホットする感触を道具の中に、取り入れることができるようになる。図２・図３・図４参照。
【図面の簡単な説明】
【図１】ぬいぐるみの一部に両面テープを設置した図。
【図２】ぬいぐるみ付き取っ手の図。
【図３】ぬいぐるみだけの取っ手の図。
【図４】例として電話機に貼った図。
【符号の説明】
１　　　　　両面テープ
２　　　　　ぬいぐるみ
３　　　　　取っ手金物
４　　　　　受話器に貼ったぬいぐるみ
【図１】
2004065876.tif 000003
【図２】
2004065876.tif 000004
【図３】
2004065876.tif 000005
【図４】
2004065876.tif 000006
(57)【要約】【課題】安全で清浄な殺菌機能付食器乾燥機を提供する。【解決手段】交流やパルス波形の高電圧電源を用いた沿面放電方式、および針状電極に直流、交流またはパルス波形の高電圧を印加するコロナ放電方式、または直接放電方式を用いたマイナスイオン発生器を、食器乾燥機内に配設することにより、安全で長期にわたり殺菌能力が持続する食器乾燥機を提供することができる。【特許請求の範囲】
【請求項１】
マイナスイオンによりカビ菌、大腸菌および黄色ブドウ球菌等の雑菌を死滅、または発育抑制させることを特徴とする殺菌機能を持つマイナスイオン発生器が付いた食器乾燥機。
【請求項２】
前記食器乾燥機のマイナスイオン発生器において、そのマイナスイオン発生方法としては、交流やパルス波形の高電圧電源を用いた沿面放電方式、および針状電極に直流、交流またはパルス波形の高電圧を印加するコロナ放電方式、または直接放電方式を用いることを特徴とする請求項１記載の殺菌機能付食器乾燥機。
【請求項３】
前記マイナスイオン発生器において、マイナスイオン量がイオン発生器近傍で１０万個／ＣＣ以上、好ましくは１００万個／ＣＣ以上であることを特徴とする請求項１または請求項２記載の殺菌機能付食器乾燥機。
【発明の詳細な説明】
【０００１】
【発明の属する技術分野】
本発明は、高濃度のマイナスイオンを発生させることが出来るマイナスイオン発生器を食器乾燥機内に配設し、長期使用中に雑菌が繁殖しないか死滅させる殺菌機能付食器乾燥機に関するものである。
【０００２】
【従来の技術】
従来、食器乾燥機は、食器を速やかに乾燥させて、食器の衛生的保管を確実に行うため、その衛生面には配慮が払われ、多くの工夫が実用化されてきた。
【０００３】
しかし、食器を食器乾燥機に収納した後、食器だけでなく、食器乾燥機の食器収納容器までが完全に乾燥するには長時間が必要である。このような不完全な乾燥状態では、食器乾燥機の湿潤部分に残存する雑菌が繁殖することがあった。
【０００４】
【発明が解決しようとする課題】
このような従来の食器乾燥機では、雑菌の繁殖を防ぐために食器収納容器内に、抗菌性プラスチックを使用したり、殺菌剤を置くことが試みられた。しかし、長期間にわたり、抗菌性や殺菌性を保持することは困難であった。またその安全性に疑問のある素材も多かった。
【０００５】
本発明はこのような課題を解決するもので、安全性が高く、長期間使用可能で、清潔な食器乾燥機を提供することを目的とするものである。
【０００６】
【課題を解決するための手段】
この課題を解決するために本発明は、高濃度のマイナスイオンを発生させることが出来るマイナスイオン発生器を、食器乾燥機内に配設するようにしたものである。
【０００７】
マイナスイオンは、従来より精神安定・疲労感の軽減・体機能の向上・免疫力向上など人体に良いとされていた。本発明では、このマイナスイオンを高濃度で発生させ雑菌に照射することを特徴とする。
【０００８】
マイナスイオン発生器としては、交流やパルス波形の高電圧電源を用いた沿面放電方式、および針状電極に直流、交流またはパルス波形の高電圧を印加するコロナ放電方式、または直接放電方式のものが用いられる。
【０００９】
【実施例】
実施例として、沿面放電方式のイオン発生素子を使用し、パルス波形の高電圧電源を用いたマイナスイオン発生器を配設した食器乾燥機を作製した。
【００１０】
マイナスイオン発生器のイオン発生素子は沿面放電方式の他に、針状電極のコロナ放電方式や直接放電方式でもよく、また高電圧電源としては、パルス波形の他に、交流および直流高電圧のようなものでもよい。
【００１１】
トマト灰色カビ病菌（Ｂｏｔｒｙｔｉｓ　ｃｉｎｅｒｅａ）を接種したシャーレを２０℃で７日間培養した実験では、マイナスイオンを照射している場合は、７日後でもカビのコロニーの発生は認められなかったが、マイナスイオンを照射しないブランクテストでは、カビのコロニーの発生が３日目から観察され、７日後にはシャーレ全面に広がった。
【００１２】
次に大腸菌（Ｅｓｃｈｅｒｉｃｈｉａ　ｃｏｌｉ）を接種したシャーレを３０℃で３日間培養した実験では、マイナスイオンを照射している場合は、３日後でも大腸菌のコロニーは認められないが、マイナスイオンを照射しないブランクテストでは、１日後には多数の大腸菌のコロニーが認められた。
【００１３】
【発明の効果】
以上の説明から明らかなように、本発明によれば食器乾燥機内にマイナスイオン発生器を配設することにより、食器および食器収納容器内の雑菌を死滅させ、長期にわたり安全で清浄な殺菌機能付食器乾燥機として利用することができる。
(57)【要約】【課題】パンツ（ズボン）スタイルでサンダルを履いて歩く際、ストラップが踵に固定されていないタイプのサンダルでは、パンツ（ズボン）の裾が踵の下に入り込んで、とても歩きづらいし、見苦しい。パンツスタイルとサンダルを組み合わせるのは一つのファッションであるため、我慢して、ストラップが踵に付いているタイプのサンダルを履くのもつらいものがある。それを解決するのが目的である。【解決手段】全てのサンダルではないが、踵の後ろにひっかけるだけのバックバンドタイプのサンダルは、主流とも思われるほど多い。そのタイプのサンダルに対し、本発明のストラップを使用することにより、パンツ（ズボン）の裾が踵の下に入り込まないので、歩きづらくないし、見苦しくもない。しかも、取り付けが簡単で、サンダルの着脱時に手間取らないもので、見た目にもおしゃれであること。【選択図】　図３
2004065869.tif 000002
【特許請求の範囲】
【請求項１】
ゴム様に少し伸縮性のある、透明又は、色彩やデザイン性のあるストラップを、サンダルのバックバンド等に簡単に脱着できる踵用ストラップ
【発明の詳細な説明】
【０００１】
【発明の属する技術分野】
この発明は、ゴム様に少し伸縮性のあるストラップを、サンダルなどに簡単に脱着出来る踵用ストラップに関するものである。
【０００２】
【従来の技術】
従来のサンダルはストラップが踵の部分やバックバンドの部分に固定されたタイプのサンダルと、ストラップがない前掛けベルトや後ろ掛けベルトのサンダルが主で、他には紐で編み上げたりデザイン性の高いものもある。
ストラップが踵に固定されたタイプのサンダルは、パンツスタイルでも颯爽と歩けるのに対し、そうでないタイプのサンダルは、立っているときは何でもないのに、歩くと、パンツ（ズボン）の裾の部分が踵の下に入り込んでしまうので、とても歩き難くて、格好が悪いし見苦しい。
足の甲からつま先にかけてのデザインとパンツを合わせるのもひとつのファッションであるから、踵の下にパンツの裾が入ってしまうのは見苦しいし、歩き難い為、それにより少し妙な歩き方をしている人は案外多い。少々見苦しくても、歩きにくいよりはましだと思い、ストラップが踵に固定されたタイプのサンダルなどを履いたり、靴を履いたりして我慢している人も多い。
利用目的は違うが、既存の物としては、サンダルやミュールを固定しようとして、ストラップやバンドを足首に巻きつけたり、足首に通す輪状の物はありますが、それらでは、サンダル等の脱着時にその都度、片手または両手で留めたり、通したりしなければならず、その姿は面倒そうでもあり、見苦しい。
昨今は、自宅以外で、靴などを脱いだり履いたりする機械が多いので、履物は簡単にしかもスマートに脱着できるものが望ましい。本発明により、サンダルの履用範囲がさらに広がります。
【０００３】
【発明が解決しようとする課題】
本発明は、ストラップが踵に固定されたタイプのサンダル以外のサンダルで、パンツスタイルで歩く時の、前述のような欠点をなくすために、踵とサンダルのヒールとの間に隙間を作らないようにするのを課題として研究をすすめた。
また、サンダルの脱着時に手間取る事もなく、使用時にも見苦しくない事が課題。
【０００４】
【課題を解決するための手段】
踵とヒールの間に隙間を作らないようにするためには、ではなく、双方の間にパンツの裾が入らないようにするためには、であることに気がついた。
実験などの結果、踵からヒールにかけて紐状のものが一本あるだけでも、パンツの（ズボンの）裾が入りにくいことが判った。その紐に、ある程度の伸縮性がないと、サンダルが脱げてしまったり、また、ありすぎても効果が少なくなってしまうことも判った。
また、歩いている時は目立たないが、階段を登ったり、座ったりすると、パンツ（ズボン）の裾が上がって靴の踵の部分が見えてしまうので、サンダルそのもののデザインを損なわないよう、ストラップを透明なデザインにしたり、デザインしたものをつけて、双方を合わせて一つのデザインとなる様、工夫も望まれる。
【０００５】
【発明の実施の形態】
以上の様な構成であるから、まず、（１）の部分は、簡単に脱着出来るよう一方の端を輪にし、取り付けた時左右にずれたりしないよう、滑り止め素材や滑り止めコーティングが望ましい。
（２）の紐の部分は、１本でも、それ以上でも、問題はない。
取り付け時と、使用時にもある程度必要なので、（２）の紐の部分か、（３）の輪の部分、または、両方に少し伸縮性を持たせる。
本発明の使用は、まず、（１）の部分（サンダルのバックバンドに取り付ける部分）を、バックバンドに引っ掛け、（３）の部分を少し細くして（１）の輪に通す。
図２のように、バックバンドの内側に、滑り止めが付いているタイプと付いていないタイプとがあるので、付いていない方はそのまま（１）を引っ掛ける。付いているタイプには、その所にできた小さな隙間の間に通して引っ掛ける。その後、（３）の部分を少し細くして（１）の輪に通してから引っ張る。それによりストラップはサンダルのバックバンドに定着する。
次に、（３）の輪をサンダルのヒール（踵）に引っ掛ける。そして普通に履くだけ。尚、本発明は、船底型または、ローヒールのサンダルには（引っ掛けることが出来なければ）使用出来ません。
サンダルのバックバンドは、幅５ｍｍ位から１ｃｍ前後のものが多い。そのため、（１）の部分はおよそ１〜３ｃｍ前後必要です。伸縮性があっても良いが、その分、耐久性に欠けるのと、細部である上に、歩く度に引っ張る力が加わってしまうため、切れ難く丈夫で滑り難いことが条件です。条件さえ合えば、素材は何でも可能です。
（２）の部分は、サンダルのサイズやデザインにより多少差があるので、４〜５ｃｍ前後。（３）の部分も同様のため、４〜５ｃｍ。いずれも伸ばしていない状態なので、それ以上のサイズまたはデザインにも対応できます。
厚さはデザインにより異なるので、１ｍｍ以上から１の輪に通すことの出来る厚さ。
【０００６】
【発明の効果】
本発明は以上のことから、パンツファッションとサンダルが自由に合わせられる。固定のバンドやストラップが無くても、本発明のストラップを使用することにより、踵の下にパンツ（ズボン）の裾が入らないので、歩きづらくなく、颯爽と歩ける。脱着式なので、いろんなサンダルに使えるし、ヒールファッションも楽しめる。
【図面の簡単な説明】
【図１】は本発明の全体図。
【図２】はサンダルのバックバンドに取り付ける方法。
【図３】はサンダルのヒールに取り付けた図
【符号の説明】
（１）は最初にサンダルのバックバンドに取り付ける部分。
（２）は踵の後ろにくる部分。
（３）はサンダルのヒール（踵）に引っ掛ける部分。
【図１】
2004065869.tif 000003
【図２】
2004065869.tif 000004
【図３】
2004065869.tif 000005
(57)【要約】【課題】遊技者の興趣を向上できるようにすること。【解決手段】遊技状態に応じた映像をプロジェクタで投射し、当該プロジェクタから投射される映像を遊技者側に表示する遊技盤１を設けると共に、当該遊技盤１上に配される遊技構成部材４の角部に丸みをつけた。【選択図】　図１
2004065820.tif 000002
【特許請求の範囲】
【請求項１】
遊技状態に応じた映像を投射するプロジェクタと、当該プロジェクタから投射される映像を遊技者側に表示する遊技盤と、当該遊技盤上に配されて前記プロジェクタによって遊技盤上に表示される映像を透過する遊技構成部材とを備え、前記遊技構成部材の角部に丸みをつけたことを特徴とする遊技機。
【請求項２】
前記遊技構成部材の遊技盤側の形状を、前記プロジェクタによって前記遊技盤上の当該遊技構成部材部分に表示される映像と同一形状としたことを特徴とする請求項１に記載の遊技機。
【発明の詳細な説明】
【０００１】
【発明の属する技術分野】
本発明は、遊技状態に応じた映像を遊技盤に表示し、当該映像によって遊技者の興趣を高めるパチンコ機等の遊技機に関するものである。
【０００２】
【従来の技術】
従来、このような遊技機としては、特開平６−３５０６６号公報に記載されているものが知られている。この公報には、図４に示すように、液晶プロジェクタ１０から投射される映像をスクリーン１１に投射することで、当該映像を液晶表示装置で表示する方法よりも大きな画面を得て、より効果的な演出を行えるようにしたスロットマシン等が開示されている。
【０００３】
【発明が解決しようとする課題】
ところで、上記従来の技術を、遊技機であるパチンコ機に適用して前記映像を遊技盤全体に投射する場合、当該映像の表示領域を広めるために、遊技盤上に配される役物装置等の遊技構成部材を透明な樹脂等で形成することが考えられる。しかしながら、遊技盤上に配される遊技構成部材を透明な樹脂等で形成すると、当該遊技構成部材の角部によって映像が歪んで、当該映像の視認性が低下し、遊技者の興趣を低下させてしまう恐れがあった。
【０００４】
そこで、本発明は、上記従来技術の未解決の課題に着目してなされたものであって、遊技者の興趣を向上できる遊技機を提供することを課題とする。
【０００５】
【課題を解決するための手段】
上記課題を解決するために、請求項１に係る発明である遊技機は、遊技状態に応じた映像を投射するプロジェクタと、当該プロジェクタから投射される映像を遊技者側に表示する遊技盤と、当該遊技盤上に配されて前記プロジェクタによって遊技盤上に表示される映像を透過する遊技構成部材とを備え、前記遊技構成部材の角部に丸みをつけたことを特徴とするものである。
【０００６】
また、請求項２に係る発明である遊技機は、前記遊技構成部材を、前記プロジェクタによって前記遊技盤上の当該遊技構成部材部分に表示される映像と同一形状としたことを特徴とするものである。
したがって、請求項１に係る発明である遊技機にあっては、遊技盤上に配される遊技構成部材の角部に丸みをつけたため、遊技構成部材の角部による映像の歪みが抑制され、当該映像の視認性を向上でき、遊技者の興趣を向上できる。
【０００７】
また、請求項２に係る発明である遊技機にあっては、前記遊技構成部材の遊技盤側の形状を、前記プロジェクタによって前記遊技盤上の当該遊技構成部材部分に表示される映像と同一形状としたため、遊技球が当該映像上を通過しないようにして、当該映像の視認性を向上できる。
【０００８】
【発明の実施の形態】
以下、本発明の実施の形態を図面に基づいて説明する。
図１は、本発明の一実施形態を示す概略構成図であり、図中、１はパチンコ機の遊技盤であって透明な樹脂で形成されている。この遊技盤１は、その背面に設けられた図示しないスクリーンを含んでおり、後述する制御装置からの指令に従い、従来のパチンコ機が備えている遊技盤１上の構成要素（例えば、図柄表示装置、遊技機のロゴマーク等）の映像がプロジェクタからスクリーン背面に投射されて、当該映像が遊技盤１全体に表示されるように構成されている。
【０００９】
また、遊技盤１の前面中央には遊技領域２が設けられていて、当該遊技領域２の略中央には、前記プロジェクタから図柄表示装置の映像等が投射される主表示領域３が設けられている。さらに、当該主表示領域３の上方には、遊技盤１側に開口部を有する箱状で且つ当該開口部の形状を前記ロゴマークの外形と同一形状とした遊技構成部材４が配されている。この遊技構成部材４は、図２の断面図に示すように、上側の角部に丸みがつけられた透明な樹脂で形成されていて、前記プロジェクタによって主表示領域３の上方に表示されるロゴマークの映像を透過するように構成されている。
【００１０】
このように、本実施形態にあっては、遊技盤１上に配される遊技構成部材４の角部に丸みをつけたため、当該遊技構成部材４の角部による映像の歪みが抑制され、当該映像の視認性が向上されて、遊技者の興趣が向上される。また、遊技構成部材４の遊技盤１側の形状を、前記プロジェクタによって遊技盤１上に表示されるロゴマークの外形と同一形状としたため、遊技球が当該ロゴマーク上を通過せず、当該ロゴマークの視認性が向上される。
【００１１】
また、前記遊技領域２の下方側には、遊技球が入賞したことを検出する入賞口５が配されていて、その検出結果が前記制御装置に供給される。そして、前記制御装置は、マイクロコンピュータ等の演算処理装置を備えて構成されていて、この演算処理装置は、入賞口５に遊技球が入賞したという検出結果が入力されたことを契機に、スロットマシンに見立てた図柄合わせゲームを行う図柄表示装置の映像を主表示領域３に投射させる信号を算出する。そして、このようにして算出された信号が、この制御装置から前記プロジェクタに向けて出力され、その結果、当該プロジェクタから前記図柄表示装置やロゴマークの映像等が遊技盤１全体に投射される。
【００１２】
なお、上記実施の形態は本発明の遊技機の一例を示したものであり、遊技機の構成等を限定するものではない。
例えば上記実施形態にあっては、遊技構成部材４の上側の角部に丸みをつけた例を示したが、上記実施形態に限られるものではなく、例えば図３に示すように当該遊技構成部材４の上側の角部に加えて、下側の角部にも丸みをつけるようにしてもよい。
【００１３】
【発明の効果】
以上、説明してきたように、本発明に係る遊技機にあっては、遊技盤上に配される遊技構成部材の角部に丸みをつけたため、遊技構成部材の角部による映像の歪みが抑制され、当該映像の視認性を向上でき、遊技者の興趣を向上できる。
【図面の簡単な説明】
【図１】本発明の遊技機の一実施形態を示す概略構成図である。
【図２】図１の遊技構成部材のＡ―Ａ線断面を示す断面図である。
【図３】遊技構成部材の変形例を示す斜視図である。
【図４】プロジェクタを利用した従来の遊技機を示す概略構成図である。
【符号の説明】
１　　　　遊技盤
２　　　　遊技領域
３　　　　主表示領域
４　　　　遊技構成部材
５　　　　入賞口
【図１】
2004065820.tif 000003
【図２】
2004065820.tif 000004
【図３】
2004065820.tif 000005
【図４】
2004065820.tif 000006
(57)【要約】【目　的】この発明は野球及びソフトボールのグランドコートのライン引きを簡単に誰でも出来るようにする補助具に関するものである。【構　成】野球及びソフトボールのグランドコートのラインを引くために本塁、一塁、二塁と三塁の各ベース間とその対角のベース間をラインでつなげて誰でも簡単にライン引きを可能にするライン引きの補助具である。【選択図】図１
2004065888.tif 000002
【特許請求の範囲】
【請求項１】
野球及びソフトボールのグランドコートのラインを引くために本塁、一塁、二塁と三塁の各ベース間とその対角のベース間をラインでつなげて一人でしかも簡単で正確に素早くライン引きを可能にするライン引きの補助具。
【発明の詳細な説明】
【０００１】
【産業上の利用分野】
この発明は野球及びソフトボールのグランドコートのライン引きを一人でしかも簡単で正確に素早く出来るようにする補助具に関するものである。
【０００２】
【従来の技術】
従来は巻き尺などを使い寸法を測りながらラインを引いていたが、一人では作業が出来ず、間違った寸法で引いてしまったり、また時間がかかり面倒なものであった。
【０００３】
【発明が解決しようとする課題点】
この発明は、その欠点を除いて、一人でしかも簡単で正確に素早くラインを引くことが出来るようにするものである。
【０００４】
【課題を解決するための手段】
いまこの解決手段を図面に追いながら説明すれば
▲１▼　ライン１には本塁ベースの位置に金具Ａが、本塁から一塁ベースまでの距離を測ったところに金具Ｂが取り付けてある。　その延長上の先端に金具Ｆが取り付けてある。
▲２▼　ライン４は金具Ａでライン１とつながっており本塁ベースから三塁ベースまで距離を測ったところに金具Ｄが取り付けてある。　その延長上の先端に金具Ｆが取り付けてある。
▲３▼　ライン２は一塁ベースから二塁ベースまでの塁間の距離を測ったものであり二塁ベースの位置の金具Ｃとライン１の金具Ｂにつながっている。
▲４▼　ライン３は三塁ベースから二塁ベースまでの塁間の距離を測ったものであり二塁ベースの位置の金具Ｃとライン４の金具Ｄにつながっている。
▲５▼　対角ライン５は一塁ベースから三塁ベースまでの対角線の距離を測ったものであり、金具Ｂと金具Ｄにつながっている。
▲６▼　対角ライン６は本塁ベースから二塁ベースまでの対角線の距離を測ったものであり金具Ａと金具Ｃにつながっている。　また、本塁ベースからピッチャーズプレートまでの距離を測ったところに金具Ｅが取り付けてある。
▲７▼各ベース間及びピッチャーズプレートまでの距離はそれぞれの金具Ａ、Ｂ、Ｃ、ＤとＥの杭穴ａ、ｂ、ｃ、ｄとｅの中心点を目安とする。
ラインの引き方を図面に追いながら説明すれば
（イ）ライン１をライト側のラインとしてグランドの中で適当なところに引く。この時本塁の位置の金具Ａの杭穴ａに杭を刺し引っ張った状態で一塁の位置の金具Ｂの杭穴ｂに同じく杭を刺す。　そうすることにより本塁と一塁のベース間の距離が決まる。　後はその延長線上にラインを延ばしていき金具Ｆで固定する。　これでライト側のラインが決まる。
（ロ）次にライン４をライト側のラインと同じようにレフト側に延ばしていく。この時に、一塁ベースの位置の金具Ｂの対角線ライン用穴ｂ’から三塁ベースの位置の金具Ｄの対角ライン用穴ｄ’に対角ライン５をつなげて引っ張ることにより三塁ベースの位置が決まる。　金具Ｄの杭穴ｄに杭を打った後その延長上にラインを延ばしていき金具Ｆで固定する。これでレフト側のラインが決まる。
（ハ）その後ライン１の金具Ｂをライン２で金具Ｃとつなぐ。同じようにライン４の金具Ｄをライン３で金具Ｃにそれぞれつなぐ。　本塁上の金具Ａの対角ライン用穴ａ’と２塁上の金具Ｃの対角ライン用穴ｃ’を対角ライン６でつなぎ外側に引っ張った後２塁上の金具Ｃの杭穴ｃに杭を打って固定する。　そうすることにより２塁の位置が決まる。　対角ライン６にはピッチャーズプレートの位置に金具Ｅが付いているのでピッチャーズプレートの位置も決まる。
（ニ）上記の要領でグランドに本発明のライン引き補助具を取り付けた後で、この補助具にそってラインを引いていき、それぞれのベースとピッチャーズプレートの位置に印を付ければ一人でしかも正確で簡単に素早く野球及びソフトボールのグランドコートがかけることとなる。
（ホ）本発明は上記のように金具を使う必要はなく、ただ単にそれぞれの塁間と対角線の距離を測ったラインでつなげてそれぞれの位置（本塁、一塁、二塁、三塁とピッチャーズプレートの位置）に印を付けたものでも良い。　また、それぞれのラインは常時つながっている必要はなく取り外しができ、必要なときにつなげられるようになっていてもよい。
【図面の簡単な説明】
【図１】本発明の全体図
【図２】本発明の金具Ａの図
【図３】本発明の金具Ｂの図
【図４】本発明の金具Ｃの図
【図５】本発明の金具Ｄの図
【図６】本発明の金具Ｅの図
【図７】本発明の金具Ｆの図
【符号の説明】
１はライン１
２はライン２
３はライン３
４はライン４
５は対角ライン５
６は対角ライン６
７は金具Ａ
８は金具Ｂ
９は金具Ｃ
１０は金具Ｄ
１１は金具Ｅ
１２は金具Ｆ
【図１】
2004065888.tif 000003
【図２】
2004065888.tif 000004
【図３】
2004065888.tif 000005
【図４】
2004065888.tif 000006
【図５】
2004065888.tif 000007
【図６】
2004065888.tif 000008
【図７】
2004065888.tif 000009
(57)【要約】　　　（修正有）【課題】枕カバー、シーツ、掛け布団カバーを一体にする事によって、横や足元からのすきま風を防ぎ、枕の余分な移動を防ぐこと。【解決手段】１枚の長方形のシーツの短辺の一方側を表側に折り返して枕側折り返し面とし、その枕側折り返し面の端を筒状になるようにシーツにミシンで縫合し、その中に枕本体を挿入する事で枕カバーとする。長方形のシーツの前記の枕側折り返し面とは反対側の短辺も表側に折り返して掛け布団側折り返し面とし、前記の枕側折り返し面のミシン掛けした固定位置の近傍でさらに表側に折り返し、それぞれシーツの長辺側に接する部分は両脇を部分的にミシン掛けし、表側の折り返し面の間に掛け布団を挟み入れる事により表側の折り返し面を掛け布団カバーの代わりにする。また、折り曲げたシーツの長辺の両脇をファスナーで閉じることによって横からの隙間風を防ぐようにする。【選択図】図１
2004065881.tif 000002
【特許請求の範囲】
【請求項１】
寝床の上を全体的に被う長方形のシーツであり、寝る人の頭に近いシーツの上端に、枕本体のカバーとなる枕カバーを一体に備え、枕カバーと反対側の長方形のシーツの短辺側を枕カバー近傍まで表側に折り返して、その短辺側をさらに表側に折り返して両脇を部分的にミシン掛けし、その間に掛け布団を挟み入れる事により掛け布団カバーにし、敷き布団側シーツと掛け布団側シーツの折り返し面の長辺の２枚重なる部分は、両脇にファスナーを設ける事により開閉自在にすることを特徴とするオールインワンシーツ。
【発明の詳細な説明】
【０００１】
【発明の属する技術分野】本発明は一枚の長方形のシーツを折り曲げたのち、両脇にファスナーをつけ部分的にミシン掛けをすることによって掛け布団カバーとシーツと枕カバーを一体にしたシーツに関するものである。
【０００２】
【従来の技術】従来の寝具カバーは、掛け布団カバーとシーツと枕カバーは別々に作られていた。本発明のように３個が一体の物はなかった。
【０００３】
【発明が解決しようとする課題】従来、掛け布団カバーとシーツと枕カバーは別々に作られ、寝返りをうつと隙間風があり、寝相が悪いと枕が移動してしまっていた。本発明はこれらの欠点を除くため研究を進めた。
【０００４】
【課題を解決するための手段】上記目的を達成するために、縦の長さ５８０ｃｍから６００ｃｍの長さの範囲、横の幅１５０ｃｍから１９０ｃｍの長さの範囲の１枚の長方形のシーツの短辺の一方側を表側に６０ｃｍほど折り返して枕側折り返し面とし、その枕側折り返し面の端を筒状になるようにシーツにミシンで縫合し、その中に枕本体を挿入する事で枕カバーとし、枕がシーツから遠くへ離れて行かず、そして、長方形のシーツの前記の枕側折り返しとは反対側の短辺も表側に折り返して掛け布団側折り返し面とし、前記の枕側折り返し面のミシン掛けした固定位置の近傍でさらに表側に折り返し、それぞれシーツの長辺側に接する部分は両脇を部分的にミシン掛けした。それぞれの表側の折り返し面の間に掛け布団を挟み入れる事により表側の折り返し面を掛け布団カバーの代わりにした。また、長方形のシーツの折り曲げにより、寝る人の足がくる部分に近い所の底辺からの隙間風を防ぎ、折り曲げたシーツの長辺の両脇をファスナーで閉じる事によって横からの隙間風を防ぐようにした。
【０００５】
【発明の実施の形態】以下に本発明の実施形態を図面を参照しながら具体的に説明する。
図１は本発明の斜視図であるが、長方形のシーツＡ面１の短辺の一方側を６０ｃｍほど表側に折り返して枕側折り返し面２とし、その枕側折り返し面２の端をシーツＡ面１に筒状になるようミシンで縫合して固定し、その枕側折り返し面２の中に枕本体を挿入して枕カバーとし、そのシーツＡ面１と枕側折り返し面２のシーツの長辺側に接する両脇は閉じずに枕を左右どちらからも挿入することができるようにした。
【０００６】長方形のシーツの枕側折り返し面２とは反対側の短辺も表側に折り返して長さ２００ｃｍから２２０ｃｍの範囲の掛け布団側折り返しＢ面３とし、前記の枕側折り返し面２のミシン掛けした固定位置の近傍でさらに表側に６０ｃｍほど折り返して掛け布団側折り返しＣ面４とし、その掛け布団側折り返しＢ面３と掛け布団側折り返しＣ面４のシーツの長辺側に接する部分は両脇を部分的にミシン掛けし部分的ミシン掛け部分８とした。その部分的ミシン掛け部分８を設けた掛け布団側折り返しＢ面３と掛け布団側折り返しＣ面４の間に掛け布団９を挟み入れる事により、掛け布団側折り返しＢ面３を掛け布団カバーの代わりにした。
【０００７】シーツＡ面１と掛け布団側折り返しＢ面３のシーツの長辺側の２枚重なる部分は長さ１４０ｃｍから１６０ｃｍの範囲のファスナー５（本文でいうファスナーはＹＫＫ製スライダー２コ付き尻合わせファスナー相当品である）で両脇閉じた。
【０００８】
【発明の効果】本発明は以上のような構成であるから、枕はシーツから離れて遠くへ行かず、筒状であるので何時でも枕側折り返し面２に横から手を入れて枕を左右移動することができる。
また掛け布団側折り返しＢ面３と掛け布団側折り返しＣ面４の間に掛け布団９を挟み入れることによって、くしゃみなどで掛け布団９の上辺が汚れるのを防ぎ、シーツの長辺側に接する部分の両脇を部分的にミシン掛けしたので、ミシン掛けしていない部分から手を入れて掛け布団の位置を直すことができる。
シーツの長辺側の両脇はファスナー５なので、両側全部開けたい時は、スライダー７をシーツの足側に下げ、足だけ出したいときはスライダー６を中間まで開けいろいろな場面に対処できるようにした。
以上の工夫により就寝時に横からの隙間風を防ぎ、枕の余分な移動を防ぐことができようにした。また、子供が使用する場合、就寝時に子供が布団から飛び出るのを防ぐことができるようになった。
なお１枚の布でできているので材料的にもコストダウンすることができ、洗濯するのも枕カバー、シーツ、掛け布団カバーと一緒に丸洗いすることができるし、常に同時に取り扱うことができる。
【図面の簡単な説明】
【図１】本発明の斜視図である。
【図２】本発明のＡ−Ａ断面図である。
【図３】本発明の実施図である。
【符号の説明】
１　　シーツＡ面
２　　枕側折り返し面
３　　掛け布団側折り返しＢ面
４　　掛け布団側折り返しＣ面
５　　ファスナー
６　　スライダー
７　　スライダー
８　　部分的ミシン掛け部分
９　　掛け布団
１０　敷き布団
【図１】
2004065881.tif 000003
【図２】
2004065881.tif 000004
【図３】
2004065881.tif 000005
(57)【要約】【課題】この発明は、誕生等の様々の記念すべき時刻を時計の時刻盤の形態で表示し、かっその長針と短針の先端側に宝石を配置することにより、所有者に特別な記念すべき独立したアクセサリーとして、保存しかつ愛顧に供する記念時刻表示アクセサリーを提供することを目的とするものである。【解決手段】この発明に係る記念アクセサリーは、金やプラチナ等の貴金属を用いた適宜形状の基台１の表面に凹面部２を形成し、この凹面部２には、基台１の表面の上縁より突出しないように、誕生を始め結婚や入社その他の記念すべき時刻を表示する長針３と短針４を固着し、この長針３と短針４の先端に宝石類５を備えているものである。【選択図】　　　図１
2004065886.tif 000002
【特許請求の範囲】
【請求項１】
適宜形状の基台の表面に凹面部を形成し、この凹面部にはその上縁より突出しないように誕生時間等の記念すべき時刻を表示する長針と短針を固着し、この短針と長針の先端に宝石類を取付けたことを特徴とする記念時刻表示アクセサリー。
【発明の詳細な説明】
【０００１】
【発明の属する技術分野】
この発明は、誕生時間等の記念すべき時刻を表示する記念時刻表示アクセサリーに関するものである。
【０００２】
【従来の技術】
従来、誕生や結婚等のその記念すべき出来事の時刻を文字あるいは模様として刻んだ時計あるいはペンダントやジェリー等の各種のアクセサリー類はすでに作られている。
【０００３】
【発明が解決しようとする課題】
しかしながら、これら時計あるいはアクセサリー類の一部として、それらの記念すべき時刻が文字や模様として表示されているものであるため、所有者に取って、ペンダントやジェリー等のアクセサリー類の価値を高めるものとはなっても、そのもの自体を記念すべきものとして所有あるいは保存すべき対象になっていなかった。
【０００４】
この発明は、上記に鑑みてなされたもので、誕生等の記念すべき時刻を時計の時刻盤の形態で固定表示し、かっその長針と矩針の先端側には誕生石等の宝石類を配置させることにより、所有者に特別な記念すべき独立したアクセサリーとして、保存しかつ愛顧に供する記念時刻表示アクセサリーを提供することを目的とするものである。
【０００５】
【課題を解決するための手段】
上記課題を達成するために、本発明に係る記念時刻表示アクセサリーは、適宜形状の基台の表面に凹面部を形成し、この凹面部にはその上縁より突出しないように誕生時間等の記念すべき時刻を表示する長針と短針を固着し、この短針と長針の先端に宝石類を取付けたことを特徴とするものである。
【０００６】
【発明の実施の形態】
以下、この発明に係る記念時刻表示アクセサリーに関する実施の形態につき、添付図面に基づいて説明する。
【０００７】
図１は、この発明に係る記念時刻表示アクセサリーを示す正面図であり、図２は、その断面状態を示す略示図であり、図３は、文字盤の拡大図を示すものである。
【０００８】
この発明に係る記念時刻表示アクセサリーは、図１および図２に示されるように、金やプラチナ等の貴金属を用いた適宜形状の基台１の表面に凹面部２を形成し、この凹面部２には、基台１の表面の上縁より突出しないように、主として誕生時刻を、また、その他結婚や入社等の記念すべき時刻を表示する長針３と短針４を固定的に止着し、この長針３と短針４の先端に誕生石等の各種の宝石類５を備えているものである。
【０００９】
さらに、その記念すべき時刻以外の、記念すべき事項やその年月日や氏名等の文字情報は、基台１の裏面や側面に直接あるいはプレートを介して刻設されることによって、より詳細な記念すべき情報が保存されることができる。
【００１０】
記念すべき時刻を表示するための長針３と短針４は、図３に示すように、その根元側を重ね合わせてロウ付け等の手段で基台１に固定し、長針３と短針４の先端側は宝石類５が囲撓されるように取り付けるものである。
【００１１】
なお、記念すべき時刻が重なり合う時分の際には、図３に示すように、長針３の尖端側とその内側寄りにそれぞれ宝石類５を取り付けるものである。
【００１２】
また、前記長針３および短針４の先端または先端側に取り付けられる宝石類５は、とくに指定されるものではなく、誕生石を始め所有者によって適宜選択されることが望ましい。
【００１３】
また、凹面部に取り付けられる長針３および短針４を損傷から保護するため、透明なカバーを設けるものであってもよい（図示せず）。
【００１４】
【発明の効果】
以上説明したように、本発明に係る記念時刻表示アクセサリーによれば、適宜形状の基台の表面に凹面部を形成し、この凹面部に基台の表面の上縁より突出しないように、誕生等の記念すべき時刻を表示する長針と短針を有する時刻盤を固定的に配置してなるもので、時計やペンダントのように付帯的に設けるものと異なり、その記念すべき時刻を表すアクセサリーとして、独立した価値を有することができるものである。
【００１５】
さらに、その記念すべき時刻が時刻盤として長針と短針により表示され、また長針と短針の先端には宝石類を備えることにより、常時目視されてその記念すべき時刻が強くその印象されるとともに、ゴージャスな感覚を得ることができる。
【００１６】
さらに、この長針と短針は、基台の表面に形成される凹面部に、その基台の表面の上縁より突出しないように取り付けられて、その不用意な損傷を防いで、長期間の保存を可能とし、また、比較的容易に凹面部に固定されて、様々に異なる時刻に対応することが可能である。
【図面の簡単な説明】
【図１】この発明に係る記念アクセサリーを示す正面図である。
【図２】同じく、その断面状態を示す略示図である。
【図３】長針と短針とからなる時刻盤の拡大図である。
【図４】長針と短針が重なる時刻盤を示す正面図である。
【符号の説明】
１　　　　基台
２　　　　基台１の凹面部
３　　　　長針
４　　　　短針
５　　　　宝石類
【図１】
2004065886.tif 000003
【図２】
2004065886.tif 000004
【図３】
2004065886.tif 000005
【図４】
2004065886.tif 000006
(57)【要約】【課題】本発明は安心して衛生的な歯科治療ができる歯科医療用マスクを提供する。【解決手段】マスクの口が接する部分に口を大きく開いた形状の開口部の穴を形成して両端に耳かけ用の切り込み穴を設けた。【選択図】図２
2004065882.tif 000002
【特許請求の範囲】
【請求項１】
マスクの口に接する部分に口を大きく開いた形状の開口部の穴を形成し、両端に耳かけ用の切り込み穴が設けられていることを特徴とするマスク。
【請求項２】
裏面に樹脂製フイルムを貼り合せた請求項１に記載のマスク。
【発明の詳細な説明】
【００１】
【発明に属する技術分野】
本発明は歯科医療用のマスクに関するものである。
【００２】
【従来の技術】
従来、歯の治療においては水や削りカス、血液、唾液などが口中から飛散し患者の顔やその周辺を汚していたがそれを防止する物はなかった。せいぜい着衣に配慮してエプロンをかけるのが唯一の対応手段であった。
【００３】
【発明が解決しようとする課題】
この考案は安心して衛生的な歯科治療を提供するためになされたものであ
る。
【００４】
【課題を解決するための手段】
本発明は上記問題を解決するために開発されたものであって、第１に請求項１ではマスクの口に接する部分に口を大きく開いた形状の開口部の穴を形成し両端に耳かけ用の切り込み穴を設けている。これによりマスクを付けて治療が可能となり飛散した汚物で顔を汚すことを防止できる。第２に請求項２は上記マスクの裏面に樹脂製フイルムを貼り合せている。これにより水がマスクに付着しても顔まで浸透しない。
【００５】
マスクは不織布で作られ両端に耳かけ用の切り込み穴が設けられている。
これを図２で説明すると不織布の両サイドの端は顔の幅より広く、下を顎より長くすることで目より下の部分が覆われる。
【００６】
素材は上記不織布以外にも紙、布地、ガーゼ、樹脂発泡体などでも作ることができるが、柔らかいものでないと口を開いたとき顔に密着した適切な形状の確保が難しい。衛生面などを考え低コストで使い捨てタイプができる不織布が最適である。
【００７】
口に接する部分の開口部の穴は口を一杯に開けた時と略同じ面積を有しており、口は下に向かって開いていくがマスクの最下部は装着時顎の下まであるので開口しても顎がマスクから露出することはない。
【００８】
不織布はある程度生地自体が伸びる特性があるので差異がある顔のサイズに幅広く対応が可能である。両端の耳かけ用の切り込み穴は各１個でもよいが穴までの幅を変えて各２個設ければ子供、大人の双方に使うことができる
【００９】
歯の治療は診療台を倒しやや頭が斜め下になる状施で行なわれるが、マスクの最上部は鼻先を覆っているので、鼻の中を見られたり汚水などが鼻に入る心配もなく安心して治療が受けられる。
【０１０】
【発明の効果】
かくしてできた歯科医療用のマスクを付ければ治療において口中から飛散する汚れた水や削りカスで顔を汚すこともなく、化粧が乱れたり医師やスタッフの手が直接顔に触ることもなく治療が受けられる。
又、治療時には医師の説明に応えたり口の洗浄を何度も行う必要があるがマスクが固定されているので起き上がって口の洗浄等をしても支障なく容易にできる。治療には各種の機器や薬品を使うがマスクで覆われているので誤って顔に当たっても怪我をしない。
【０１１】
【発明の実施の形態】
本発明の実施例を図面を利用して説明をする。本発明のマスク１は図１及び図２で示されるように口が接する部分に口を大きく開いた形状の開口部の穴２が形成されており両端に耳かけ用の切り込み穴３が設けられている。本発明のマスクを付けて口を大きく開いた場合を説明する。図２のごとく目から下が覆われて開口部の穴を通して口全体を正確に捉え治療することができる。
【図面の簡単な説明】
【図１】本発明のマスクの平面図
【図２】本発明のマスクを顔に付けた斜視図
【符号の説明】
１はマスク
２開口部の穴
３切り込み穴
【図１】
2004065882.tif 000003
【図２】
2004065882.tif 000004